(57)【特許請求の範囲】
【請求項１】
表示画面上の所定領域を指示又は手書きすることにより、その指示された領域の表示内容又は手書き内容が入力される表示兼入力タブレットを備え、これら入力された内容を連ねて文章を作成する文章入力装置において、
文章から語句を切り出す切り出し手段と、
上記切り出し手段にて切り出された語句に対して語句毎の重要度を算出する重要度算出手段と、
上記重要度算出手段にて算出された語句の重要度に基づいて上記表示兼入力タブレットに強調して表示させる強調表示手段とが備えられ、
上記表示兼入力タブレットにおける、上記重要度に基づいて強調表示された語句が表示された領域を押すことにより、その押された領域に表示された語句が文章の一部として入力され、
上記強調表示手段は、語句の表示を強調すべく、上記語句の表示領域兼入力領域の占有面積を大きくすると共に、
上記重要度に基づいて強調表示された語句が表示された領域には、該語句の読み仮名における各行毎のラベルが付されていることを特徴とする文章入力装置。
【発明の詳細な説明】
【０００１】
【発明の属する技術分野】
本発明は、表示画面上の所定領域を指示又は手書きすることにより、その指示された領域の表示内容又は手書き内容が入力される表示兼入力タブレットを備え、これら入力された内容を連ねて文章を作成する例えばコンピュータやワードプロセッサ等の文章入力装置に関するものである。
【０００２】
【従来の技術】
コンピュータやワードプロセッサにて文章を入力する際に、語句の入力を効率的に行う方法として、仮名漢字変換した語句を記憶しておき、再び同じ読み方の仮名を入力した場合には、頻度順或いは新しさの順に、語句の候補を順次表示する方法が従来よく知られている。
【０００３】
また、入力効率化に関するその他の文章入力方法としては、次のような様々の方法が公報に開示されている。
【０００４】
（１）文章を各要素に分解してキーワードに対応させて記憶装置に蓄積し、利用者の要求に合致した文章の種々の要素をメニュー形式で提示する。例えば「会社」「安否」等のキーワードに応じて候補となる定型的な文章の構成語句、例えば「貴社」「御社」等をメニュー形式で提示する。そして、これら構成語句を順次選択していくことにより新たな文章を入力する（特開昭６２−２０２２５９号公報）。
【０００５】
（２）長単語検出手段により切り出された単語及び登録済単語の出現頻度を計測し、その出現頻度の高い方から順に一定数の単語を高頻度単語として登録することにより、長い文字列の単語を迅速確実に入力できるようにする（特開平２−７６０６６号公報）。
【０００６】
（３）従来のキーボードに記憶部と表示部と選択部とを加えることにより、使用頻度の多い命令や文章を予め設定することなく、容易かつ簡略的に入力を可能にする（特開平４−１０５１１１号公報）。
【０００７】
（４）単語の表記を記憶した辞書部とその辞書部中の単語を表示する表示装置とを備え、タッチパネル上をペンで指すとその位置に対応した単語が表示され、さらに、確定キーの入力によりその単語を確定しテキストに取り入れるようにする（特開平６−５１８９１号公報）。
【０００８】
（５）作成中の文章で文字の連なりを取り出してその出現回数を数え、その文字の連なりで出現回数が多いものを表示するための表示装置と、その文字の連なりに割り当てられたキーにより、何度も使用する文字の連なりを簡単に入力できるようにする（特開平６−２０３０１６号公報）。
【０００９】
上記の従来技術（１）〜（５）は、（４）を除いて、主にキーボード入力を想定したものであり、いずれも候補となる語句を、ディスプレイ画面の一部、或いはキーボード上の一部に設けた表示装置に表示した上で、目的の語句を選択することにより、入力動作を簡略化しようとするものである。
【００１０】
一方、近年、普及しつつある手書き文字認識による文章入力においては、キーボード上の文字の位置を覚える必要がないという長所がある反面、紙に文字を書く場合と同様に、文字の総画数分の動作が必要であるため、手の動作のストロークが、キーボードを用いた入力よりも多くなってしまう傾向がある。
【００１１】
例えば、「傾向」という語句を入力する場合、キーボードでは、「け」「い」「こ」「う」「変換キー」「確定キー」の最短６ストロークで入力が可能である。しかし、手書き文字認識では、漢字で直接入力する場合、「傾向」の総画数合計の１９ストロークが必要となる。また、仮名漢字変換を併用した場合でも「けいこう」の９画を入力する必要があるため、「変換キー」「確定キー」を合わせて１１ストロークが必要となる。すなわち、この場合、手書き文字認識ではキーボード入力の約２〜３倍の動作を要する。
【００１２】
【発明が解決しようとする課題】
ところで、上記の従来技術（４）を除く従来技術（１）〜（５）の入力方法では、手書き文字認識による方式に対してもある程度の適用が可能である。しかし、手書き文字認識による方式では、文字の画数によるストローク動作の増加は避けられないため、キーボード入力以上に、入力動作の簡略化の工夫が望まれる。すなわち、前記の従来技術（１）〜（５）は、それぞれ以下の問題点を有している。
【００１３】
まず、前記従来技術（１）では、キーワードの入力が必要であることと、キーワードと文章の対応付けが必要であることと、定型以外の文章は効率的に入力し難いという問題点を有している。
【００１４】
また、前記従来技術（２）及び従来技術（５）は、入力された語句をディスプレイ画面或いはキーボード上の一部分に、出現頻度順或いは語句の長さの順に表示し、選択により入力しようとするものであるが、基本的には少ない語句を表示することを想定しており、表示する候補の語句を多くしていった場合に、目的の語句を見付け出すことが困難となるという問題点を有している。また、語句の区切りは入力時に決定されるため、予め入力された文章の一部の語句を修正する場合に語句の出現頻度が正しく計数されないことがあると考えられる。
【００１５】
さらに、前記従来技術（３）は、送信キーによって入力データを区切り、キーボード上の一部分に表示しておいて再入力を可能とするものであるが、前記従来技術（２）の方式に内包された位置付けとみることができ、従来技術（２）と同様の問題点を有している。
【００１６】
前記従来技術（４）は、辞書部に保有する全ての語句に対応する、読みの順のスケールを用意し、ペン状の器具でスケール上の位置を指定することにより、語句を入力しようとするものであるが、語句を予め表示しておく方式ではないため、一旦概ねの位置を指定して、目的の語句が含まれる候補の語句の一覧が表示されるまで操作を繰り返した上で、目的の語句を改めて選択するという段階を踏む必要があるという問題点を有している。
【００１７】
本発明は、上記従来の問題点に鑑みなされたものであって、その目的は、特に手書き文字認識による入力方式に適用できると共に、キーボードによる入力方式にも適用可能であって、より少ない動作で効率良く目的の文章を入力し得る文章入力装置を提供することにある。
【００１８】
【課題を解決するための手段】
本発明の文章入力装置は、上記課題を解決するために、表示画面上の所定領域を指示又は手書きすることにより、その指示された領域の表示内容又は手書き内容が入力される表示兼入力タブレットを備え、これら入力された内容を連ねて文章を作成する文章入力装置において、文章から語句を切り出す切り出し手段と、上記切り出し手段にて切り出された語句に対して語句毎の重要度を算出する重要度算出手段と、上記重要度算出手段にて算出された語句の重要度に基づいて上記表示兼入力タブレットに強調して表示させる強調表示手段とが備えられ、上記表示兼入力タブレットにおける、上記重要度に基づいて強調表示された語句が表示された領域を押すことにより、その押された領域に表示された語句が文章の一部として入力され、上記強調表示手段は、語句の表示を強調すべく、上記語句の表示領域兼入力領域の占有面積を大きくすると共に、上記重要度に基づいて強調表示された語句が表示された領域には、該語句の読み仮名における各行毎のラベルが付されていることを特徴としている。
【００１９】
上記の発明によれば、文章を作成するときには、表示兼入力タブレットにて表示画面上の所定領域を指示又は手書きすることにより、その指示された領域の表示内容又は手書き内容が入力される。そして、これら入力された内容を連ねることにより文章が作成される。
【００２０】
ここで、文章を作成していく段階では、切り出し手段が作成中の文章から語句を切り出す。次いで、重要度算出手段が、切り出し手段にて切り出された語句に対して語句毎の重要度を算出する。さらに、強調表示手段が、上記重要度算出手段にて算出された語句の重要度に基づいて表示兼入力タブレットに強調して表示させる。
【００２１】
すなわち、作成中の文章から切り出された各語句は、表示兼入力タブレットの所定領域に例えばソートされて表示される。この表示兼入力タブレットに表示された語句は、再度その語句を入力するときに、その語句の表示領域を指示することによって、文章作成の入力に反映される。
【００２２】
一方、再度同じ語句を選択して入力するに際しては、重要度算出手段の算出による重要度の高い語句は強調表示手段にて強調表示されるので、重要度の高い語句程、選択を容易に行うことができる。
【００２３】
この結果、手書き文字認識による入力方式において、より少ない動作で効率良く目的の文章を入力し得る文章入力装置を提供することができる。
また、本発明では、強調表示手段は、語句の表示を強調させる方法として、表示兼入力タブレットに表示された語句の表示領域の占有面積を大きくする。
【００２４】
したがって、重要度の高い語句程、広い占有面積で表示されるので、その語句の入力に際しての選択を確実に容易に行うことができる。
【００２５】
【発明の実施の形態】
以下、本発明の実施の形態を図面を用いて説明する。いずれの実施の形態も文章入力装置の構成で説明を行っているが、後述する文章入力装置を動作させるプログラムを記録したコンピュータ読み取り可能な記録媒体（例えば、磁気テープ、ＣＤ−ＲＯＭ等）であってもよいことは明らかである。
【００２６】
〔実施の形態１〕
本発明の実施の一形態について図１ないし図１３に基づいて説明すれば、以下の通りである。
【００２７】
本実施の形態のコンピュータ又はワードプロセッサ等の文章入力装置１は、図２に示すように、表示兼入力タブレット２０、中央処理装置（以下、「ＣＰＵ（Central Processing Unit)」と称する）２、文章表示用ディスプレイ３、文章記憶用メモリ４、頻出語句用メモリ５及び記憶手段としての外部記憶装置６を備えている。
【００２８】
上記表示兼入力タブレット２０は、ビットマップ情報の表示に加えて、ペン状の器具又は指等の後述する指示具８を用いてビットマップ情報を入力するものであり、例えば感圧素子のマトリクスが配置された透明なフィルムを、液晶表示パネル上に貼り合せることにより実現されるものである。
【００２９】
上記ＣＰＵ２は、入出力機器である表示兼入力タブレット２０及び文章表示用ディスプレイ３、文章記憶用メモリ４及び頻出語句用メモリ５等のメモリ、並びに外部記憶装置６を制御するものである。
【００３０】
上記文章表示用ディスプレイ３は入力された文章を表示するものである。また、文章記憶用メモリ４は入力された文章を記憶するためのメモリ、頻出語句用メモリ５は語句を記憶するためのメモリである。さらに、外部記憶装置６は文章や頻出語句データを外部に保存しておくための記憶装置である。
【００３１】
上記構成を有する文章入力装置１は、図３に示す外観を有しており、筐体７の前側上面に表示兼入力タブレット２０が形成されていると共に、この表示兼入力タブレット２０の蓋を形成するように文章表示用ディスプレイ３が開閉自在に設けられている。
【００３２】
上記の表示兼入力タブレット２０は、同図に示すようにペン状の器具や指等の指示具８にて、表示画面上の所定領域を押圧することにより、文字、数字及び記号等を入力し得るようになっている。また、この表示兼入力タブレット２０は、後述するように、手書き文字を入力し得るものとなっている。
【００３３】
なお、文章入力装置１は、必ずしもこれに限らず、例えば、図４に示すように、従来のキーボード１１による入力方式を持つワードプロセッサ１０に、表示兼入力タブレット１２を付加した構成とすることも可能である。
【００３４】
上記の表示兼入力タブレット２０の表示内容及び入力情報の処理内容は、ソフトウェアによって柔軟に変更することが可能であるが、ここでは、図５に示すように、手書き文字認識方式を採用する場合の表示内容が示されている。
【００３５】
すなわち、表示兼入力タブレット２０には、予め決められた位置である例えば下部左側に固定語句表示領域２１が表示されている。この固定語句表示領域２１には、例えば「が」「と」…「ある」「ない」…等の分野にかかわらない一般的な頻出語句又は操作者が設定した語句が表示されており、これら語句を上記指示具８にて接触することにより当該語句を入力し得るものとなっている。
【００３６】
また、表示兼入力タブレット２０の例えば下部右側には、手書き文字入力領域２２、一時表示領域２３、変換ボタン領域２４及び採用ボタン領域２５が表示されている。
【００３７】
上記の手書き文字入力領域２２には例えば５個のます目が形成されており、各マス目の中に上記指示具８にて手書き文字を入力すると、その手書き文字が前記ＣＰＵ２に内蔵されたソフトウェアにて認識され、その認識された文字が一時表示領域２３に表示されるようになっている。
【００３８】
そして、一時表示領域２３に表示された文字をそのまま採用する場合には採用ボタン領域２５を押す一方、仮名漢字変換を必要とする場合には変換ボタン領域２４を押すことにより、ＣＰＵ２に内蔵されたソフトウェアを用いて一時表示領域２３に示された仮名を漢字に変換し、次いで、採用ボタン領域２５を押すことにより入力文字として採用することができる。
【００３９】
また、表示兼入力タブレット２０の例えば上部には、頻出語句表示領域２６が表示されており、この頻出語句表示領域２６には、図１に示すように、入力した文章から切り出された語句が一覧表として表示されるようになっている。
【００４０】
なお、上記固定語句表示領域２１、一時表示領域２３、変換ボタン領域２４、採用ボタン領域２５及び手書き文字入力領域２２にて示した文字入力の機能については、前記図４に示すワードプロセッサ１０では、キーボード１１からの入力によって代替することが可能である。
【００４１】
次に、上記構成を有する文章入力装置１の文章入力方法について、図６及び図７に示すフローチャート、図８ないし図１３及び図１に基づいて説明する。なお、ここでは、例えば、「私は日本人である。日本人は・・・」という文章を入力する場合の例を説明する。
【００４２】
まず、図６及び図８に示すように、「私」という文字を表示兼入力タブレット２０の手書き文字入力領域２２にてペン入力する（Ｓ１）。これにより、入力領域による分岐が行われる（Ｓ２）。今の場合には、採用ボタン領域２５を押すことにより（Ｓ３）、「私」という文字を前記文章記憶用メモリ４に追加格納する（Ｓ４）と同時に、文章表示用ディスプレイ３に表示する（Ｓ５）。
【００４３】
この後、語句の切り出し・ソート・強調処理（Ｓ６）を経て、頻出語句表示領域２６に「私」という文字が表示される（Ｓ７）。
【００４４】
ここで、頻出語句表示領域２６において、「私」の左側に表示された「さ」は、「私」の音読みである「し」が、五十音の「さ」行に属しているということを表わしている。このように表示するのは、頻出語句表示領域２６上での人の目による検索を容易にするためである。なお、漢字が五十音のどの行に属するかという判定は、例えばＪｌＳ第ｌ水準の漢字の場合は、文字コードの範囲によって判定することができる。なお、「私」という漢字データを、その訓読みである「わたし」という仮名データと対応づけて記録したような電子辞書と照合することにより、「私」という漢字が五十音の「わ」行に属するものとして処理することも可能である。
【００４５】
続いて、「は」という文字を入力するときには、固定語句表示領域２１上の「は」に対応する領域を押すことにより入力し（Ｓ１、Ｓ２、Ｓ８）、結果として「私は」という文字列が前記文章記憶用メモリ４に追加格納され（Ｓ９）、同時に文章表示用ディスプレイ３に表示される（Ｓ１０）。
【００４６】
次いで、「日本人」という語句を入力する。このときには、図９に示すように、表示兼入力タブレット２０の手書き文字入力領域２２に仮名で「にほんじん」と入力する（Ｓ１、Ｓ２、Ｓ１１）。これにより、入力した文字がＣＰＵ２に内蔵されたソフトウェアによって認識され（Ｓ１２）、一時表示領域２３に表示される（Ｓ１３）。
【００４７】
次いで、この状態から、変換ボタン領域２４を押すことにより（Ｓ１、Ｓ２、Ｓ１４）、図１０に示すように、仮名漢字変換ソフトウェアにて仮名の「にほんじん」を漢字の「日本人」に変換し（Ｓ１５）、一時表示領域２３に表示する（Ｓ１６）。さらに、採用ボタン領域２５を押すことにより、前述した処理により、「日本人」という語句が、文章記憶用メモリ４に追加されると同時に、文章表示用ディスプレイ３及び表示兼入力タブレット２０の頻出語句表示領域２６に表示される（Ｓ１、Ｓ２、Ｓ３、Ｓ４、Ｓ５）。
【００４８】
続いて、図１１に示すように、固定語句表示領域２１上の「で」及び「ある」に対応する領域をそれぞれ押すことにより（Ｓ１、Ｓ２、Ｓ８）、「である」という語句が、文章記憶用メモリ４に追加される（Ｓ９）と同時に、文章表示用ディスプレイ３及び頻出語句表示領域２６に表示される。この時、頻出語句表示領域２６上では語句が文字コード順或いは読み方の文字コード順にソートされた上で表示される（後述するＳ２３）。なお、同図に示す句点「。」は手書き文字認識によって入力されたものとする。
【００４９】
続いて、「日本人」という語句を再び入力する。このときには、図１２に示すように、頻出語句表示領域２６上の「「日本人」という語句が表示された領域を押す（Ｓ１、Ｓ２、Ｓ１７）。この操作により、「日本人」という語句が、文章記憶用メモリ４に追加される（Ｓ９）と同時に、図１に示すように、文章表示用ディスプレイ３に表示される（Ｓ１０）。
【００５０】
この後、図７のサブルーチンに示すように、文章記憶用メモリ４に格納された「私は日本人である。日本人」という文字列が、切り出し手段としてのＣＰＵ２にて「私」「は」「日本人」「である」「日本人」という５個の語句に切り出される（Ｓ２１）。
【００５１】
この語句の切り出しについては、様々な方法が考えられる。そして、その方法及び切り出しの基準は限定されるものではないが、ここでは、文字コードにて漢字と仮名との境界を判定することにより、切り出すものとしている。
【００５２】
このようにして切り出された語句の内、固定語句表示領域２１に表示された語句の一つと完全に一致する語句、つまりこの例では「は」が切り捨てられ（Ｓ２２）、残った語句が文字コード順にソートされた上で（Ｓ２３）、語句毎の出現頻度が計数される（Ｓ２４）。この例では、次の表１のようになる。
【００５３】
【表１】
0004115568.tif 000002
【００５４】
この後、重要度算出手段としてのＣＰＵ２にて、重複する語句、つまり「日本人」の一つが切り捨てられ、それぞれの語句の重要度が計算される（Ｓ２５）。本実施の形態では、出現頻度を重要度とし、出現頻度に応じて頻出語句表示領域２６上の語句の強調度合が計算される（Ｓ２６）。
【００５５】
ここでは、語句の出現頻度が多い程表示上の占有面積を大きくするという強調方法を採っている。仮に単純な比例関係を採用した場合、例えば２回の出現頻度により２倍の面積を占めるとした場合には、頻出語句表示領域２６が少数の高頻度の語句によって占められてしまう傾向があるので、次のような計算式を用いることにより、頻度の増分に対する占有語句面積の増分を抑制する方が良い。
【００５６】
【数１】
0004115568.tif 000003
【００５７】
ここで、ａ＝５、ｂ＝２５０とした場合の計算例を下の表２に示す。
【００５８】
【表２】
0004115568.tif 000004
【００５９】
このような語句毎の占有部分の高さの計算値Ｓｉを用いて、各頻出語句を頻出語句表示領域２６に表示した例が、図１である。この例における入力した文章では、「日本人」という語句が２度現われているため、他の語句よりも大きな面積を占めている。すなわち、各頻出語句毎の表示領域は、文字入力長さが一定であるので、占有部分の高さ（行間隔）が拡張されたものとなっている。
【００６０】
したがって、今後、再び「日本人」という語句を入力する場合、他の語句よりも目に付き易く、また、指示具８にて触れることにより入力する場合も、入力操作がより容易になる。
【００６１】
次に、以下に示す文例のように、さらに長い文章を入力する場合の例を示す。
文例：
「私は日本人である。日本人は主に米を主食にしている。日本人は米が好きである。米が日本人を作ったとも言える。日本人は昔から米を作ってきたが、最近は輸入量が増えてきている。」
上記文例に基づく頻出語句表示領域２６は、図１３のように示される。すなわち、上記文例では、「日本人」及び「米」が頻出語句となっており、頻出語句表示領域２６上で、より広い面積を占有しているため、再入力が容易となる。
【００６２】
このように、本実施の形態の文章入力装置１では、文章を作成するときには、表示兼入力タブレット２０にて表示画面上の所定領域を指示又は手書きすることにより、その指示された領域の表示内容又は手書き内容が入力される。そして、これら入力された内容を連ねることにより文章が作成される。
【００６３】
ここで、文章を作成していく段階では、切り出し手段としてのＣＰＵ２が作成中の文章から語句を切り出す。次いで、重要度算出手段としてのＣＰＵ２が、切り出された語句に対して語句毎の重要度を算出する。さらに、強調表示手段としてのＣＰＵ２が、語句の重要度に基づいて表示兼入力タブレット２０に強調して表示させる。
【００６４】
すなわち、上記の切り出された各語句は、表示兼入力タブレット２０の頻出語句表示領域２６にソートされて表示される。この表示兼入力タブレット２０に表示された語句は、再度その語句を入力するときに、その語句の表示領域を指示することによって、文章作成の入力に反映される。
【００６５】
一方、再度同じ語句を選択して入力するに際しては、重要度の高い語句は強調表示されるので、重要度の高い語句程、選択を容易に行うことができる。
【００６６】
この結果、手書き文字認識による入力方式において、より少ない動作で効率良く目的の文章を入力し得る文章入力装置１を提供することができる。
【００６７】
なお、本実施の形態においては、入力中の文章と頻出語句抽出の対象となる文章とが同一として説明してきたが、必ずしもこれに限らず、頻出語句抽出の対象となる文章は、過去に入力して記憶手段としての外部記憶装置６に格納されている文章であっても良いし、過去に入力した文章と現在入力中の文章を併用しても良い。
【００６８】
したがって、過去の文章の語句を利用して選択入力することが可能となるので、表示兼入力タブレット２０に表示する語句の選択幅が広がり、これによって、さらに、より少ない動作で効率良く目的の文章を入力し得る文章入力装置１を提供することができる。
【００６９】
また、各語句の重要度を予め計算して頻出語句データとして外部記憶装置６に格納しておき、新しい文章の入力に際して、そのような頻出語句データのみを頻出語句用メモリ５に転送した上で語句の入力に用いても良い。
【００７０】
さらに、現在入力中の文章から切り出しかつそれぞれの重要度を計算した頻出語句データと上記の外部記憶装置６に格納しておいた頻出語句データとを併合して用いることも可能である。
【００７１】
例えば、上記過去に入力する語句として、予め決められた「平成、年、月、日」等の汎用語句等の一連の語句データをソートの対象となる一連の頻出語句に併合して用いても良い。
【００７２】
この結果、表示兼入力タブレット２０に表示させる語句として、過去に入力した語句を対象とすることができる一方、作成中の文章に関する語句と過去に入力した語句との両方を対象とすることもできる。
【００７３】
したがって、過去の語句を利用して選択入力することが可能となるので、表示兼入力タブレット２０に表示する語句の選択幅が広がり、これによって、さらに、より少ない動作で効率良く目的の文章を入力し得る文章入力装置１を提供することができる。
【００７４】
また、外部記憶装置６に文章や語句を格納する場合に、予め入力するに際しては、表示兼入力タブレット２０を使用する必要はなく、例えばキーボード１１等の入力装置から入力することが可能である。したがって、キーボード１１による入力方式にも適用が可能である。
【００７５】
なお、外部記憶装置６に記憶されている文章の語句と過去に入力した語句との両方を作成中の文章に関する語句に併合して使用することも可能である。
【００７６】
また、本実施の形態の文章入力装置１では、頻出語句表示領域２６に表示される語句の表示を強調させる方法として、各語句の表示領域の占有面積を大きくする。
【００７７】
したがって、重要度の高い語句程、広い占有面積で表示されるので、その語句の入力に際しての選択を確実に容易に行うことができる。
【００７８】
さらに、本実施の形態の文章入力装置１では、重要度の計算基準を語句の出現頻度としている。したがって、文章中に繰り返し出現する話題の中心となる語句を容易に入力することができる。
【００７９】
また、本実施の形態の文章入力装置１では、文章を作成すべく表示兼入力タブレット２０にて表示画面上の所定領域を指示する際に、表示兼入力タブレット２０には固定語句表示領域２１が設けられており、この固定語句表示領域２１には、例えば「が」「と」…「ある」「ない」等の分野に関わらない一般的な頻出語句又は例えば操作者の所望する予め設定された語句が表示されている。
【００８０】
したがって、文章の作成に際して、この固定語句表示領域２１の頻出語句や予め設定された語句を選択して入力すれば良いので、表示兼入力タブレット２０への入力操作をさらに容易なものとすることができる。
【００８１】
この結果、手書き文字認識による入力方式において、より少ない動作で効率良く目的の文章を入力し得る文章入力装置１を提供することができる。
【００８２】
また、本実施の形態では、頻出語句表示領域２６に表示される切り出し語句の表示順序を出現順とすることが可能である。これにより、頻出語句表示領域２６に表示される語句を再度選択入力するときに、出現順に選択することができる。さらに、本実施の形態では、頻出語句表示領域２６に表示される切り出し語句の表示順序を語句の文字コード順（所謂漢字コード順）とすることが可能である。これにより、頻出語句表示領域２６に表示される語句を再度選択入力するときに、文字コード順に選択することができる。
【００８３】
また、本実施の形態では、頻出語句表示領域２６に表示される切り出し語句の表示順序を語句の読み仮名の文字コード順とすることが可能である。これにより、頻出語句表示領域２６に表示される語句を再度選択入力するときに、読み仮名の文字コード順に選択することができる。なお、この場合に、「あ」行、「か」行等のように、各行毎にラベルを付与することにより、さらに選択入力を容易にすることができる。
【００８４】
さらに、本実施の形態では、表示兼入力タブレット２０と文章そのものを表示するための文章表示用ディスプレイ３とを別に備えている。これにより、作成した文章を文章表示用ディスプレイ３に表示することができる。
【００８５】
〔実施の形態２〕
本発明の他の実施の形態について図１４ないし図１６に基づいて説明すれば、以下の通りである。なお、説明の便宜上、前記の実施の形態１の図面に示した部材と同一の機能を有する部材については、同一の符号を付し、その説明を省略する。
【００８６】
前記実施の形態１で説明した文章入力装置１の問題点として、ある程度以上の長い文章を入力した場合、頻出語句の一覧が表示可能範囲を超えることがある。
【００８７】
これに対処するため、本実施の形態では、第１の方法として、予め定められた基準にてそれぞれの語句の重要度を計算し、絞り込み手段としての前記ＣＰＵ２が語句の絞り込みを行なう。すなわち、図１４のフローチャートに示すように、重要度の高いものから表示すべき語句を選択し、重要度の小さいものを切り捨てる（Ｓ３１）。
【００８８】
ここでの重要度の計算基準は、語句の強調と同一の計算基準でも良いし、別の計算基準でも良い。例えば、語句の強調度合は、出現頻度に応じて計算する一方、表示すべき語句の絞り込みは、文章の後ろから数えた出現順としても良い。
【００８９】
また、第２の方法としては、図１５のフローチャートに示すように、縮小手段としてのＣＰＵ２にて、全体の語句の大きさの表示比率を順次縮小していくことにより（Ｓ４１）、表示可能な語句数を順次増加させていくことも可能である。
【００９０】
この時、表示比率の縮小により、それぞれの語句が見え難くなった場合に、図１６のフローチャートに示すように、任意の時点で表示比率変更ボタン領域を押圧操作することにより（Ｓ５１）、上記第１の方法で示した語句の重要度に応じて、表示語句数の絞り込みを行なうと同時に、表示比率を復元する方向に遷移させる。この絞り込みの操作は、段階的に、連続して行なうことができるようにする。
【００９１】
この場合、表示上の語句数は絞られるが、頻出語句用メモリ５に格納された語句数は不変とする。これにより、絞り込みの逆の操作を行なうことよって、再び表示比率を縮小し、表示語句数を増やすことが可能となる。
【００９２】
なお、図１６においては、前記図６と同じ部分（Ｓ２以降Ｓ６に至るまでの部分）は、記載を省略している。
【００９３】
このように、本実施の形態の文章入力装置１では、表示兼入力タブレット２０の表示可能範囲を越えるときには、語句毎に計算された重要度に応じて、表示すべき語句の絞り込みや全体の語句の表示比率を縮小する。
【００９４】
したがって、語句が多くなった場合に、語句の絞り込みを行ったときには必要な語句だけを表示させることができる一方、全体の語句の表示比率を縮小した場合には表示可能な語句数を順次増加させることができる。
【００９５】
また、表示比率の縮小により、それぞれの語句が見え難くなった場合には、任意の時点で、表示語句数の段階的かつ可逆的な絞り込みの操作を行なう。このため、段階的に表示語句数の絞り込みを行なっていくと共に、表示比率を復元していくことができる。
【００９６】
〔実施の形態３〕
本発明の他の実施の形態について図１７に基づいて説明すれば、以下の通りである。なお、説明の便宜上、前記の実施の形態１及び実施の形態２の図面に示した部材と同一の機能を有する部材については、同一の符号を付し、その説明を省略する。
【００９７】
本実施の形態では、重要度の計算方法について、前記実施の形態１で述べた語句の出現頻度よる方法の他、種々のものを取り上げる。
【００９８】
まず、第１の方法は、語句の重要度の基準を、それぞれの語句を構成する文字数とする方法であり、第２の方法は、文字の総画数の合計を基準とする方法である。これら第１及び第２の方法は、最初から入力する場合の手間がかかる語句程重要度が高いとする考え方であり、特に第２の方法は、手書き文字認識方式を対象としたものである。
【００９９】
上記の第２の方法では、文字とその文字の画数情報とを対応づけた次のような表を文章記憶用メモリ４に予め用意し、切り出された語句を構成する文字と突き合わせて、語句を構成する文字の画数の合計を計算する。
【０１００】
【表３】
0004115568.tif 000005
【０１０１】
例えば、「あい」という語句の画数は３＋２＝５となる。
【０１０２】
次に、第３の方法は、語句の重要度の基準を、文章の先頭を基準とした、語句の出現位置の、最大値又は平均値とする方法であり、第４の方法は、語句を入力した時間的な順序の新しさの、最新値又は平均値とするものである。
【０１０３】
これら第３及び第４の方法は、話題が次第に移り変わっていくような長い文章の場合、後から入力した語句程、再入力の可能性が高いとする考え方により、語句の重要度を計算するものである。
【０１０４】
上記の第３の方法では、語句の切り出し時に、文章の先頭を基準とした語句の出現位置を求める。
【０１０５】
具体的に第３の方法を説明する。例えば、切り出された語句が「日本人」と「米」だけであり、これらが次のように出現したと仮定する。
出現位置→１ ２ ３ ４ ５ ６ ７ ８ ９ １０
語句 →日本人、日本人、日本人、米、日本人、米、米、米、米、日本人
この例では、「日本人」の出現位置の最大値は１０であり、「米」の出現位置の最大値は９である。したがって、最大値で比較すると９＜１０となって、「日本人」の方が後に出現しており現在の入力位置に近いので、重要度が高いということになる。
【０１０６】
一方、出現位置の平均値で比較すると、
「日本人」の出現位置の平均値＝（１＋２＋３＋５＋１０）÷５＝４．２
「米」 の出現位置の平均値＝（４＋６＋７＋８＋９） ÷５＝６．８
となり、４．２＜６．８となって、「米」の方が現在の入力位置に近いので、重要度が高いということになる。すなわち、話題の中心が「日本人」から「米」に移ってきているため、「米」の方が重要とする考え方である。
【０１０７】
また、第４の方法では、入力の度に１が加算されるレジスタを用意し、頻出語句用メモリ５には、それぞれの語句が使われる度に、前記レジスタの内容がコピーされる項目「新しさ」を用意し、この項目に基づいてそれぞれ語句の相対的な重要度を計算する。
【０１０８】
前記、実施の形態１における文例「私は日本人である。日本人」という文章を入力した場合の、上記レジスタと頻出語句用メモリ５上の「新しさ」項目の時間的な変遷は、図１７のように示される。
【０１０９】
この場合の「新しさ」の値は、ある一つの時点において値が大きい程重要とする相対値である。なお、この「新しさ」の値を、その時点のレジスタの値で割ることにより、その値を重要度の絶対値として扱うことも可能である。
【０１１０】
また、第５の方法として、重要度の計算については、これまで説明した前記実施の形態１及び実施の形態２における語句の出現頻度の方法、及び上記第１の方法から第４の方法までの内、いずれか複数の方法で求めたそれぞれの値を含む数式によって計算された値とすることも可能である。
【０１１１】
すなわち、語句の重要度は次のような関数で表記することができる。
ｆｉ ＝Ｗ（ｘ０ｉ，ｘ１ｉ，ｘ２ｉ，ｘ３ｉ，ｘ４ｉ） …（式２）
但し、ｆｉ ： ｉ番目の語句の重要度
Ｗ ： 重要度を求めるための関数
ｘ０ｉ： ｉ番目の語句の出現頻度を基準にする方法にて求めた値
ｘｌｉ： ｉ番目の語句の第１の方法で求めた値
ｘ２ｉ： ｉ番目の語句の第２の方法で求めた値
ｘ３ｉ： ｉ番目の語句の第３の方法で求めた値
ｘ４ｉ： ｉ番目の語句の第４の方法で求めた値
次に、上記（式２）における関数Ｗの例を示す。
ｆｉ ＝ｐ＊ｘ０ｉ＋ｑ＊ｘ１ｉ＋ｒ＊ｘ２ｉ＋ｓ＊ｘ３ｉ＋ｔ＊ｘ４ｉ …（式３）
但し、ｐ、ｑ、ｒ、ｓ、ｔはそれぞれの項に重みをつける定数、＊はここでは乗算記号である。
【０１１２】
このように、本実施の形態では、語句の重要度の計算基準を、それぞれの語句を構成する文字数又は文字の総画数の合計としている。それゆえ、最初から入力する場合の手間がかかる語句の選択入力を容易に行うことができる。
【０１１３】
また、本実施の形態では、語句の重要度の計算基準を、文章の先頭を基準とした語句の出現位置の最大値若しくは平均値又は語句を入力した時間的な順序の新しさの最新値若しくは平均値とすることができる。これにより、話題が次第に移り変わっていくような長い文章の場合に、後から入力した語句の選択入力を容易に行うことができる。
【０１１４】
さらに、本実施の形態では、語句の重要度の計算基準を、語句の出現頻度、語句を構成する文字数の合計、語句を構成する文字の総画数の合計、文章の先頭を基準とした語句の出現位置の最大値若しくは平均値又は語句を入力した時間的な順序の新しさの最新値若しくは平均値の各方法のいずれか複数の方法で求めたそれぞれの値を含む数式によって計算された値とすることが可能である。
【０１１５】
これにより、種々の方法による語句の重要度の計算基準値を取り入れた重要度の算出を行うことができる。
【０１１６】
なお、本実施の形態では、表示兼入力タブレット２０の表示可能範囲を越えるときには、上記の種々の方法による語句の重要度の計算基準値を取り入れた重要度の算出に基づいて、語句の絞り込みを行うことが可能である。
【０１１７】
これにより、語句の絞り込みに際して、種々の方法による語句の重要度の計算基準値を取り入れた絞り込みを行うことができる。
【０１１８】
〔実施の形態４〕
本発明の他の実施の形態について説明すれば、以下の通りである。なお、説明の便宜上、前記の実施の形態１ないし実施の形態３の図面に示した部材と同一の機能を有する部材については、同一の符号を付し、その説明を省略する。
【０１１９】
本実施の形態では、語句の重要度に応じた表示の強調方法については、前記実施の形態１に示した占有面積による方法以外の方法について、種々の方法を取り上げて説明する。
【０１２０】
まず、第１の方法は、語句の表示の強調方法を、頻出語句表示領域２６上の文字そのものの色の変化とするものであり、第２の方法は、頻出語句表示領域２６上の文字の背景の色の変化とするものである。これらの方法は、いずれも表示兼入力タブレット２０が多色表示可能であることを前提としている。
【０１２１】
すなわち、カラー表示に対応したビットマップ方式のディスプレイ画面においては、任意の点の色は、例えばＲ（赤）、Ｇ（緑）、Ｂ（青）のそれぞれの値によって表わすことができる。Ｒ、Ｇ、Ｂそれぞれの値が０から２５５までの２５６段階であると仮定すると、例えば黒と赤は次のように表される。
黒：Ｒ＝０、 Ｇ＝０、 Ｂ＝０
赤：Ｒ＝２５５、Ｇ＝０、 Ｂ＝０
この時、Ｒの値を０から２５５の任意の値に変化させることにより、表示色を黒から赤の間の任意の中間色とすることができる。ここで、前記（式２）又は（式３）のｆｉをＲの値に転送することにより、重要度の高い語句程赤色に近い色にて文字又は文字の背景を強調表示することができる。ただし、この場合、ｆｉ＞２５５の時、Ｒ＝２５５とする。
【０１２２】
次に、強調方法における第３の方法は、語句の重要度に応じて、文字のフォントの種類又は表示属性を変化させることにより語句を強調する方法である。
【０１２３】
例えば、表４に示すように、標準フォント、太字フォント、及び太字フォント＋アンダーラインの３種類の表示方法を用意しておき、ｆｉの範囲に応じて表示方法を切り替えることにより、実現することができる。
【０１２４】
【表４】
0004115568.tif 000006
【０１２５】
なお、この第３の方法では、候補の語句の文字の色又は文字の背景の色を、重要度の強調ではなく、他の語句との識別に用いることを示している。
【０１２６】
例えば、「日本人」という語句を構成するそれぞれの文字コードは、ＪＩＳコードの１６進数表記では、日→（４６７Ｃ）16、本→（４Ｂ５Ｃ）16、人→（３Ｆ４Ｄ）16となる。  これら３個のコードを加算すると、１６進数表記で（Ｄ１２５）16となるが、このうち、上２桁の“Ｄ１”を表示色のＲの値、下２桁の“２５”を表示色のＧの値とし、Ｂの値は０に固定とすると、「日本人」という語句に対応する固有色は、Ｒ＝（Ｄ１）16、 Ｇ＝（２５）16、 Ｂ＝（００）16と表わすことができる。
【０１２７】
このように、頻出語句に対して固有の色を付けておくことにより、頻出語句表示領域２６上の表示位置が移動した場合にも、容易に目的の語句を見つけることが可能となる。
【０１２８】
この場合、語句と表示色との対応は、多数対一の関係であっても差し支えなく、むしろ、例えば「日本人」と「日本国」のように、隣接する語句の色を識別可能とすることが一つの考え方である。
【０１２９】
このため、上述したように、文字コードを加算した上で、下の方の桁を、色を決定する上で重要なパラメータとすること等によって、隣接した語句をそれぞれ高度に識別可能な色にすることが好ましい。
【０１３０】
また、語句の識別の目的とは別に、目視による語句の検索を容易にするために、語句の先頭の文字コード又はその文字の読み方の先頭の文字コードを色を決定する上で重要なパラメータとして、色分けしても良い。なお、この場合、「日本人」と「日本国」とは同じ色又は近い色となる。
【０１３１】
このように、本実施の形態では、語句の表示の強調方法を、頻出語句表示領域２６上の文字の色の変化又は文字の背景の色の変化としている。
【０１３２】
これにより、頻出語句に対して固有の色を付けておくことにより、頻出語句表示領域２６上の表示位置が移動した場合にも、容易に目的の語句を見つけることが可能となる。
【０１３３】
また、本実施の形態では、語句の表示の強調方法を、頻出語句表示領域２６上の文字のフォント又は表示属性の変化とすることが可能である。
【０１３４】
これにより、頻出語句表示領域２６上の表示位置が移動した場合にも、文字のフォントの種類又は表示属性を変化により、容易に目的の語句を見つけることが可能となる。
【０１３５】
さらに、頻出語句表示領域２６に表示される語句について、候補の語句の色又は語句の背景の色を、その語句の固有値として計算された色若しくは操作者がその語句固有に定めた色とすることが可能である。
【０１３６】
これにより、頻出語句に対して固有の色を付けておくことにより、頻出語句表示領域２６上の表示位置が移動した場合にも、容易に目的の語句を見つけることが可能となる。
【０１３７】
【発明の効果】
本発明の文章入力装置は、以上のように、文章から語句を切り出す切り出し手段と、上記切り出し手段にて切り出された語句に対して語句毎の重要度を算出する重要度算出手段と、上記重要度算出手段にて算出された語句の重要度に基づいて上記表示兼入力タブレットに強調して表示させる強調表示手段とが備えられ、上記表示兼入力タブレットにおける、上記重要度に基づいて強調表示された語句が表示された領域を押すことにより、その押された領域に表示された語句が文章の一部として入力され、上記強調表示手段は、語句の表示を強調すべく、上記語句の表示領域兼入力領域の占有面積を大きくすると共に、上記重要度に基づいて強調表示された語句が表示された領域には、該語句の読み仮名における各行毎のラベルが付されているものである。
【０１３８】
それゆえ、作成中の文章から切り出された各語句は、表示兼入力タブレットの所定領域に例えばソートされて表示される。この表示兼入力タブレットに表示された語句は、再度その語句を入力するときに、その語句の表示領域を指示することによって、文章作成の入力に反映される。
【０１３９】
一方、再度同じ語句を選択して入力するに際しては、重要度算出手段の算出による重要度の高い語句は強調表示手段にて強調表示されるので、重要度の高い語句程、選択を容易に行うことができる。
【０１４０】
また、本発明では、強調表示手段は、語句の表示を強調させる方法として、表示兼入力タブレットに表示された語句の表示領域の占有面積を大きくする。
【０１４１】
したがって、重要度の高い語句程、広い占有面積で表示されるので、その語句の入力に際しての選択を確実に容易に行うことができる。
【０１４２】
この結果、手書き文字認識による入力方式において、より少ない動作で効率良く目的の文章を入力し得る文章入力装置を提供することができるという効果を奏する。
【図面の簡単な説明】
【図１】  本発明における文章入力装置の実施の一形態を示すものであり、２回目に「日本人」を入力した後の表示兼入力タブレット及び文章表示用ディスプレイの表示状態を示す説明図である。
【図２】  上記文章入力装置の構成を示すブロック図である。
【図３】  上記文章入力装置の構造を示す斜視図である。
【図４】  他の文章入力装置の構造を示す斜視図である。
【図５】  上記文章入力装置における文章表示用ディスプレイ及び表示兼入力タブレットを示す構造図である。
【図６】  上記文章入力装置の動作を示すフローチャートである。
【図７】  上記文章入力装置におけるサブルーチンである切り出し・ソート・強調処理の動作を示すフローチャートである。
【図８】  上記文章入力装置にて「私」を入力したときの表示兼入力タブレット及び文章表示用ディスプレイの表示状態を示す説明図である。
【図９】  上記文章入力装置にて「にほんじん」を入力したときの表示兼入力タブレット及び文章表示用ディスプレイの表示状態を示す説明図である。
【図１０】  上記文章入力装置にて入力した「にほんじん」を「日本人」に変換したときの表示兼入力タブレット及び文章表示用ディスプレイの表示状態を示す説明図である。
【図１１】  上記文章入力装置にて「で」「ある」を入力したときの表示兼入力タブレット及び文章表示用ディスプレイの表示状態を示す説明図である。
【図１２】  上記文章入力装置にて、再度「日本人」を入力するときの表示兼入力タブレット及び文章表示用ディスプレイの表示状態を示す説明図である。
【図１３】  上記文章入力装置にて、長い文章を入力したときの頻出語句表示領域の表示状態を示す説明図である。
【図１４】  本発明における他の実施の形態の文章入力装置を示すものであり、文章入力装置におけるサブルーチンである切り出し・ソート・強調処理の動作を示すフローチャートである。
【図１５】  上記文章入力装置におけるサブルーチンである切り出し・ソート・強調処理の変形例の動作を示すフローチャートである。
【図１６】  上記文章入力装置におけるさらに他の動作を示すフローチャートである。
【図１７】  本発明におけるさらに他の実施の形態の文章入力装置を示すものであり、重要度の算出して同じ語句が繰り返される場合に、新しく入力されるものを重要とする方法を示す説明図であり、（ａ）はレジスタの変遷を示すもの、（ｂ）は頻出語句メモリの変遷を示すものである。
【符号の説明】
１ 文章入力装置
２ ＣＰＵ（切り出し手段、重要度算出手段、強調表示手段、絞り込み手段、縮小手段）
３ 文章表示用ディスプレイ
４ 文章記憶用メモリ
５ 頻出語句用メモリ
６ 外部記憶装置（記憶手段）
８ 指示具
２０ 表示兼入力タブレット
２１ 固定語句表示領域
２２ 手書き文字入力領域
２３ 一時表示領域
２４ 変換ボタン領域
２５ 採用ボタン領域
２６ 頻出語句表示領域
【図１】
0004115568.tif 000007
【図２】
0004115568.tif 000008
【図３】
0004115568.tif 000009
【図４】
0004115568.tif 000010
【図５】
0004115568.tif 000011
【図６】
0004115568.tif 000012
【図７】
0004115568.tif 000013
【図８】
0004115568.tif 000014
【図９】
0004115568.tif 000015
【図１０】
0004115568.tif 000016
【図１１】
0004115568.tif 000017
【図１２】
0004115568.tif 000018
【図１３】
0004115568.tif 000019
【図１４】
0004115568.tif 000020
【図１５】
0004115568.tif 000021
【図１６】
0004115568.tif 000022
【図１７】
0004115568.tif 000023